(57)【要約】【課題】  半割状商品見本の取付状態の不安定さを増加することなく、また、簡単かつ確実に商品広告物を支持することができる、装着孔に半割状商品見本とともに取り付ける商品広告物支持具を提供する。【課題を解決するための手段】  支持具１は、自動販売機の手前側から奥側に向けて上昇する傾斜面を有する装着台の傾斜面に設けた装着孔における半割状商品見本の取付部分以外の部分に着脱可能に取り付ける取付部と、商品広告物を着脱可能に支持する商品広告物支持部４とを備えてなり、取付部は、装着孔の対向位置する縁部にそれぞれ係脱可能に係合する一対の係合部２，３を備える一方、商品広告物支持部４は、各係合部２，３の上端に連接するよう設けた本体７と、この本体７とともに商品広告物を着脱可能に挟持する本体７に設けた商品広告物挟持片８，９とからなる。【選択図】    図１
2006236126.tif 000002
【特許請求の範囲】
【請求項１】
自動販売機の商品見本装着台に設けた商品見本装着孔に、半割状にした商品見本とともに取り付ける、商品広告物を支持するための商品広告物支持具であって、前記商品見本装着孔の前記半割状にした商品見本の取付部分以外の部分に着脱可能に取り付ける取付部と、前記商品広告物を着脱可能に支持する商品広告物支持部とを備えてなることを特徴とする自動販売機用商品広告物支持具。
【請求項２】
取付部は、自動販売機の手前側から奥側に向けて上昇する傾斜面を有する商品見本装着台の前記傾斜面に設けた商品見本装着孔に着脱可能に取り付けるものであって、前記商品見本装着孔の対向位置する縁部にそれぞれ係脱可能に係合する一対の係合部を備える一方、商品広告物支持部は、前記各係合部の上端に連接するよう設けた本体と、この本体とともに商品広告物を着脱可能に挟持する前記本体に設けた商品広告物挟持片とからなることを特徴とする請求項１記載の自動販売機用商品広告物支持具。
【請求項３】
取付部は、商品見本装着孔の縁を着脱可能に挟持する挟持体からなる一方、商品広告物支持部は、前記挟持体に連接するよう設けた本体と、この本体とともに商品広告物を着脱可能に挟持する前記本体に設けた商品広告物挟持片とからなることを特徴とする請求項１記載の自動販売機用商品広告物支持具。
【請求項４】
商品広告物支持部は、本体に設けた保持孔を備えることを特徴とする請求項２または請求項３記載の自動販売機用商品広告物支持具。
【発明の詳細な説明】
【技術分野】
【０００１】
本発明は、自動販売機の商品見本装着孔（以下単に装着孔という。）を設けてなる商品見本装着台（以下単に装着台という。）に、前記装着孔に対して、半割状にした商品見本（以下単に半割状商品見本という。）とともに取り付けて、商品広告物を支持するための支持具に関する。
【背景技術】
【０００２】
従来、自動販売機における装着台としては、商品見本の展示効果を上げるために、内部に照明器具を配置した構成のものが一般的であるが、商品見本を装着する面が水平なものと、傾斜しているものとがあり、これら装着面には照明用透孔を兼ねる装着孔を設けている。装着孔の形状は、装着面が水平な場合には、一般的な筒状の商品見本の底面形状に合わせて円形であるが、装着台によって径の大きさが若干相違したり、孔の縁部に切り欠き部が設けられている。一方、装着面が傾斜している場合には、装着孔を底面形状に合わせることができないので、取付補助具を使用しなければならないために、その形状は特殊形状になっている。
【０００３】
また、商品見本としては、近年、経済性を考慮して、商品形状に倣った合成樹脂製の筒状のものよりも、前面側半分を模した半割状のものが多くなっている。従来における半割状商品見本の装着孔への取付は、筒状商品見本と同様に、装着面が水平な場合には、底面がほぼ半円状の商品見本の下端部分に設けた係合溝を、前記装着孔の縁部に係合するものであり、装着面が傾斜している場合には、底面形状と装着孔とが合わないので、前記装着孔に取付補助具を介して行っている。この半割状商品見本の取り付けは、一般に、装着孔の手前側の部分を利用してなされるので、装着孔の奥側部分はフリースペースとなり、また、装着面の前記半割状商品見本の背面側にもフリースペースが存在するものである。従来は、これらのフリースペース部分は活用されていなかった。
【０００４】
そして、従来、自動販売機に設置する半割状の商品見本に、広告情報を表示した商品広告物を設ける場合は、円筒状の商品見本と同様に、商品見本の蓋部下端に着脱可能に掛止するのが一般的である。本願出願人は、この商品広告物の取付構造について既に、特願２００４−７８１６６として、その改良技術を提案している。
【発明の開示】
【発明が解決しようとする課題】
【０００５】
ところが、一般に自動販売機用の商品見本は、自動販売機で販売される商品の大きさや形状と同一に形成されるので、半割状商品見本においても複数の大きさの見本があり、また、多くの半割状商品見本の底面は、ほぼ半円形となるので、装着面が水平の場合には、装着孔の大きさが若干相違したり、縁部に設けた切り欠き部の存在によって、半割状商品見本の係合溝による装着孔との係合は不安定なものとなる。また、装着面が傾斜している場合には、装着孔に合わせて取付補助具を使用しても確実な取り付けを行うことは困難で、不安定な取付状態となってしまう。
【０００６】
このように、半割状商品見本では、装着孔に対して安定状態での取り付けが困難なため、自動販売機の扉を開けた際の振動の影響で設置位置がずれたり、脱落してしまうという不都合を生じているが、このような不安定な状態の半割状商品見本の蓋部下端に、商品見本広告物を着脱可能に掛止すると、不安定さが増加するというさらなる不都合を生じてしまう。本発明は、この不都合を解消して、半割状商品見本の取付状態の不安定さを増加することなく、また、簡単かつ確実に商品広告物を支持することができる、商品広告物支持具を提供することを目的とする。
【課題を解決するための手段】
【０００７】
この目的を達成するため、本発明の請求項１に係る自動販売機用商品広告物支持具は、自動販売機の商品見本装着台に設けた商品見本装着孔に、半割状にした商品見本とともに取り付ける、商品広告物を支持するための商品広告物支持具であって、前記商品見本装着孔の前記半割状にした商品見本の取付部分以外の部分に着脱可能に取り付ける取付部と、前記商品広告物を着脱可能に支持する商品広告物支持部とを備えてなることを特徴とする。
【０００８】
同じく上記目的を達成するために、本発明の請求項２に係る自動販売機用商品広告物支持具は、上記請求項１記載の自動販売機用商品広告物支持具の構成において、取付部は、自動販売機の手前側から奥側に向けて上昇する傾斜面を有する商品見本装着台の前記傾斜面に設けた商品見本装着孔に着脱可能に取り付けるものであって、前記商品見本装着孔の対向位置する縁部にそれぞれ係脱可能に係合する一対の係合部を備える一方、商品広告物支持部は、前記各係合部の上端に連接するよう設けた本体と、この本体とともに前記商品広告物を着脱可能に挟持する前記本体に設けた商品広告物挟持片とからなることを特徴とする。
【０００９】
同じく上記目的を達成するために、本発明の請求項３に係る自動販売機用商品広告物支持具は、上記請求項１記載の自動販売機用商品広告物支持具の構成において、取付部は、商品見本装着孔の縁を着脱可能に挟持する挟持体からなる一方、商品広告物支持部は、前記挟持体に連接するよう設けた本体と、この本体とともに商品広告物を着脱可能に挟持する前記本体に設けた商品広告物挟持片とからなることを特徴とする。
【００１０】
同じく上記目的を達成するために、本発明の請求項４に係る自動販売機用商品広告物支持具は、上記請求項２または３に記載の自動販売機用商品広告物支持具において、商品広告物支持部は、本体に設けた保持孔を備えることを特徴とする。
【発明の効果】
【００１１】
本発明の請求項１に係る自動販売機用商品広告物支持具によれば、商品広告物を半割状商品見本を介することなく確実に支持し、装着台の異なる形状や大きさの装着孔に対して、安定した状態で確実に取り付けられるとともに、脱着動作も容易であり、また、取り付けた後には、半割状商品見本の取付状態を不安定にすることがなく、自動販売機の扉開閉時の風圧や衝撃が加わっても、半割状商品見本とともに、その取付状態がずれたり、脱落することがないという効果を奏する。
【００１２】
本発明の請求項２に係る自動販売機用商品広告物支持具によれば、上記請求項１に係る自動販売機用商品広告物支持具の効果に加えて、シート状の商品広告物を支持して、傾斜面を有する装着台の装着孔に取り付けるのに最適であるという効果を奏する。
【００１３】
本発明の請求項３に係る自動販売機用商品広告物支持具によれば、上記請求項１に係る自動販売機用商品広告物支持具の効果に加えて、装着孔に対してより確実に取り付けることができるとともに、シート状の商品広告物を支持するのに最適であるという効果を奏する。
【００１４】
本発明の請求項４に係る自動販売機用商品広告物支持具によれば、上記請求項２または請求項３に係る自動販売機用商品広告物支持具の効果に加えて、シート状の商品広告物のほか、保持孔に挿入係止するシート状や軸体状の係止部を有する商品広告物を支持するのに最適であるという効果を奏する。
【発明を実施するための最良の形態】
【００１５】
以下、本発明の好適な実施形態を添付図面に基づいて説明する。ここにおいて、図１は本発明の第１実施形態の商品広告物支持具（以下単に支持具という。）を示す正面図、図２は同じく側面図、図３は装着台の装着孔を示す平面図、図４は支持具を装着孔に取り付けた状態を示す部分断面図である。また、図５は本発明の第２実施形態の支持具を示す正面図、図６は同じく側面図、図７は支持具を装着孔に取り付けた状態を示す部分断面図である。さらに、図８は本発明の第３実施形態の支持具を示す斜視図、図９は同じく側面図、図１０は支持具を装着孔に取り付けた状態を示す部分断面図である。
【００１６】
はじめに、図１〜図４に基づいて、装着孔が傾斜した装着面に設けられている装着台に支持具を取り付ける一例である第１実施形態について説明する。まず、装着台について説明すると、図３及び図４に示すように、装着台３１は公知のもので、自動販売機（図示せず）内の商品見本展示部（図示せず）に配置して固定するもので、自動販売機の手前側から奥側に向けて上昇する傾斜面からなる装着面３２を有している。この傾斜した装着面３２には、内部に配置した照明器具（図示せず）の光を通過させる照明用透孔を兼ねる複数の装着孔３３を設けている。そして、前記装着孔３３の数は、前記商品見本展示部に対応する装着台３１の長さ及び自動販売機で販売する商品の種類数に応じて決定される。
【００１７】
次に、支持具の構成を説明する。図１及び図２に示すように、支持具１は、合成樹脂製で、装着孔３３の対向位置する一対の上縁側部３３ａ，３３ｂ（図３参照）にそれぞれ係脱可能に係合する取付部たる弾性を有する一対の係合部２，３と、これら各係合部２，３の上端に連接した、商品広告物である表面に適宜な文字や図形からなる広告宣伝情報（図示せず）を表示した矩形状の広告シート２１（図４参照）を着脱可能に支持する、同じく合成樹脂製の商品広告物支持部４とからなる。
【００１８】
ここで、一対の係合部２，３の構成を、図１及び図２に基づいてさらに説明するが、各係合部２，３はハの字状に対称的に設けられ、実質的には同一構成なので、係合部２についてのみ説明し、係合部３については対応する部分に同一符号を付するに止める。係合部２は、下半分が外側に向けて傾斜するよう設けられ、この傾斜部分に後方に向けて突出する摘み部５を設けている。そして、係合時には、前記摘み部５の下端縁５ａが装着孔３３の突出段部３３ｃ，３３ｄ上縁に係合する（図３、図４参照）ものである。また、この係合状態において、係合部２下端に設けた接合部６の後端面６ａが前記突出段部３３ｃ，３３ｄの前面に接合する（図４参照）よう構成している。
【００１９】
一方、上述の商品広告物支持部４は、本体７と、この本体７に対向するよう一体的に設けた、本体７とともに広告シート２１を着脱可能に挟持する一対の商品広告物挟持片８，９とからなる。また、前記本体７の両側端には、後方に向けて突出する把持部１０，１１を設けている。なお、１２，１３は前記本体７に設けた保持孔であり、図示してはいないが、商品広告物が広告シート２１のような矩形状ではなく、同じシート状でも上部に広告宣伝情報表示部を有し、下部にはこの広告宣伝情報表示部と一体形成した逆Ｔ字状の係止部を有する場合に使用するもので、前記係止部の下端における左右両側部分を挿入係止するためのものである。
【００２０】
支持具１とともに、装着孔３３に取り付ける半割状商品見本４１は、図４に仮想線で示すように、ほぼ円筒状のボトル型中空成形商品容器を前後に半割状にした形状で光透過性を有する合成樹脂製であり、図示してはいないが、商品容器のデザインにならった図柄や文字を表示している。この半割状商品見本４１は、装着台３１の傾斜した装着面３２に設けた装着孔３３に取り付けるために、下部が前記装着面３２に倣って斜めに切断されており、前記装着孔３３に係合する係合溝を有していないため、前記装着孔３３に対しては直接取り付けることができず、図示していない取付用の補助具を介して取り付けられる。
【００２１】
続いて、装着台３１の装着孔３３に対する支持具１の取付動作を説明する。まず、支持具１を、係合部２，３の摘み部５，５を摘んで内側、すなわち互いの接近方向に変位させ、前記摘み部５，５の各下端縁５ａ，５ａが装着孔３３の突出段部３３ｃ，３３ｄの上縁部に接合するようにして、前記装着孔３３の一対の対向する上縁側部３３ａ，３３ｂに取り付ける。このとき、各接合部６，６の後端面６ａ，６ａは前記突出段部３３ｃ，３３ｄの前面に接合する。
【００２２】
この図４に示す取付状態で、広告シート２１を本体７と一対の広告物挟持片８，９との間に挿入して、商品広告物支持部４に前記広告シート２１を支持する。なお、通常の場合、半割状商品見本４１は、広告シート２１を支持具１の商品広告物支持部４に支持した後、図示していない取付補助具を介して、前記装着孔３３の下縁部に取り付ける。この半割状商品見本４１の取り付けに際しては、充分なスペースがあるので、前記支持具１の存在が邪魔になることはない。
【００２３】
次に、図５〜図７に基づいて、上述した装着孔３３が傾斜した装着面３２に設けられている装着台３１に、支持具を取り付ける他の例である第２実施形態について説明する。本実施形態における支持具５１は、合成樹脂製で、装着孔３３の上縁部３３ｅを着脱可能に挟持する挟持体５２，５３からなる取付部と、これら各挟持体５２，５３の下端に位置する基端部分に連接した、商品広告物である表面に適宜な文字や図形からなる広告宣伝情報（図示せず）を表示した広告シート６１（図７参照）を着脱可能に支持する、同じく合成樹脂製の商品広告物支持部５４とからなる。
【００２４】
挟持体５２，５３は、対向面に互いに噛み合うように所定間隔をおいて位置する凹凸部５２ａ，５３ａをそれぞれ形成してなる。一方、商品広告物支持部５４は、上述した第１実施形態の商品広告物支持部４と同一構成であり、また、広告シート６１は上述した第１実施形態の広告シート２１と同一構成なので、これらの構成の説明については、対応する構成部分に同一符号を付するに止め、省略する。
【００２５】
続いて、装着台３１の装着孔３３に対する支持具５１の取付動作を説明する。本実施形態にあっては、図７に示すように、装着孔３３の上縁部３３ｅに、支持具５１の挟持体５２，５３を、前後方向から挟持するようにして、最奥端まで進入させればよいものである。なお、広告シート６１や半割状商品見本（図示せず、図４参照）の取付動作については、上述した第１の実施形態と同様であるからその説明は省略する。
【００２６】
次いで、図８〜図１０に基づいて、装着孔が水平な装着面に設けられている装着台に支持具を取り付ける一例である第３実施形態について説明する。まず、装着台について説明すると、図１０では全体構成は明らかでないが、装着台８１は公知のもので、自動販売機（図示せず）内の商品見本展示部（図示せず）に配置して固定するものであり、水平な装着面８２を有している。この装着面８２には、内部に配置した照明器具（図示せず）の光を通過させる照明用透孔を兼ねる複数の円形の装着孔８３を設けている。この装着孔８３の数は、前記商品見本展示部に対応する装着台８１の長さ及び自動販売機で販売する商品の種類数に応じて決定される。
【００２７】
次に、支持具の構成を説明する。図８〜図１０に示すように、支持具７１は、装着孔８３の奥側の縁部８３ａを上下方向から着脱可能に挟持する挟持体７２，７３からなる取付部と、これら各挟持体７２，７３の基端部分から一体的に立ち上がるように連接した、商品広告物である表面に適宜な文字や図形からなる広告宣伝情報（図示せず）を表示した広告シート９１（図１０参照）や軸体状の係止部９２ａを有するボール状の広告体９２（図９参照）を着脱可能に支持する、同じく合成樹脂製の商品広告物支持部７４とからなる。
【００２８】
挟持体７２，７３は、対向面に互いに噛み合うように所定間隔をおいて位置する凹凸部７２ａ，７３ａをそれぞれ形成してなる。一方、商品広告物支持部７４は、板状の本体７５の両側に肉厚部７５ａ，７５ｂを備え、これら肉厚部７５ａ，７５ｂには、その上面から垂直に伸びる所定深さの保持孔７６，７７を設けている。また、前記本体７５の上部には、一対の広告物挟持片７８，７９を設けている。なお、広告シート９１は上述した各広告シート２１，４１と同一構成である。また、広告体９２の係止部９２ａは、前記保持孔７６，７７に挿入可能な太さ及び長さを有している。
【００２９】
図１０の半割状商品見本１０１は、ほぼ円筒状のボトル型中空成形商品容器を前後に半割状にした形状で光透過性を有する合成樹脂製であり、図示してはいないが、商品容器のデザインにならった図柄や文字を表示している。また、半割状商品見本１０１の底部１０２には嵌入突部１０３を形成し、前記底部１０２と前記嵌入突部１０３との間には係合溝１０４を設け、この係合溝１０４が装着孔８３の手前側の縁部に係合して取り付けられるものである。なお、広告体９２は、その係止部９２ａを保持孔７６，７７の一方に挿入して、支持具７１に支持することができる。また、広告シート９１の支持動作や半割状商品見本１０１の取付動作は、上述した各実施形態におけると同様なので、その説明は省略する。
【００３０】
なお、本発明は上述の実施形態に限定されるものではなく、例えば、係合部２，３や挟持体５２，５３，７２，７３の形状や大きさは装着孔３３の形状や大きさに応じて種々変更可能である。また、本体７５は板状ではなく、広告物挟持片７８，７９から下の部分を切り欠いた枠状でもよい。
【図面の簡単な説明】
【００３１】
【図１】第１実施形態の支持具を示す正面図。
【図２】同じく支持具の側面図。
【図３】同じく装着台の装着孔を示す平面図。
【図４】同じく支持具を装着孔に取り付けた状態を示す部分断面図。
【図５】第２実施形態の支持具を示す正面図。
【図６】同じく支持具の側面図。
【図７】同じく支持具を装着孔に取り付けた状態を示す部分断面図。
【図８】第３実施形態の支持具を示す斜視図。
【図９】同じく支持具の側面図。
【図１０】同じく支持具を装着孔に取り付けた状態を示す部分断面図。
【符号の説明】
【００３２】
１，５１，７１      支持具
２，３      係合部
４，５４，７４      商品広告物支持部
５      摘み部
６      接合部
７，７５      本体
８，９，７８，７９      広告物挟持片
１０，１１      把持部
１２，１３，７６，７７      保持孔
２１，６１，９１      広告シート
３１，８１      装着台
３２，８２      装着面
３３，８３      装着孔
４１，１０１      半割状商品見本
５２．５３，７２，７３      挟持体
９２      広告体
９２ａ      係止部
【図１】
2006236126.tif 000003
【図２】
2006236126.tif 000004
【図３】
2006236126.tif 000005
【図４】
2006236126.tif 000006
【図５】
2006236126.tif 000007
【図６】
2006236126.tif 000008
【図７】
2006236126.tif 000009
【図８】
2006236126.tif 000010
【図９】
2006236126.tif 000011
【図１０】
2006236126.tif 000012